(57)【要約】【課題】案内路の先端を、遊技機のメダル投入口に固定することができるメダル貸出機を提供する。【解決手段】メダル貸出機１００は、固定具２００を含む。固定具２００は、メダル貸出機１００により１枚づつ払い出されたメダルを、遊技機１０のメダル投入口１２に案内するためのメダル案内路１２０を遊技機１０に固定するための固定具である。固定具２００は、メダル案内路１２０を保持するための保持部２１０と、保持部２１０の位置を調整する位置調整部２３０とを含む。【選択図】　図２
2004033406.tif 000002
【特許請求の範囲】
【請求項１】
メダル貸出機により１枚づつ払い出されたメダルを、遊技機のメダル投入口に案内するためのメダル案内路と、
前記メダル案内路を遊技機に固定するための固定具とを含み、
前記固定具は、前記前記メダル案内路を保持するための保持部と、
前記保持部の位置を調整する位置調整部とを備えることを特徴とする、メダル貸出機。
【請求項２】
前記位置調整部は、前記保持部を前記遊技機に装着するための装着部を含むことを特徴とする、請求項１記載のメダル貸出機。
【請求項３】
前記位置調整部は、
前記保持部に設けられた調整つまみと、
前記調整つまみに設けられたねじ孔と、
前記装着部に取り付けられ、かつ、前記ねじ孔に螺合したねじ部とを含むことを特徴とする、請求項１または２記載のメダル貸出機。
【請求項４】
前記保持部は、前記案内路が貫通する貫通孔を有することを特徴とする、請求項１〜３のいずれかに記載のメダル貸出機。
【請求項５】
前記保持部と前記位置調整部との間に、可動自在な連接部が設けられたことを特徴とする、請求項１〜４のいずれかに記載のメダル貸出機。
【発明の詳細な説明】
【０００１】
【発明の属する技術分野】
この発明は、スロットマシンを含む遊技機で用いられるメダル貸出機に関する。
【０００２】
【従来の技術】
スロットマシン等の遊技機にはメダルの投入口が設けられている。遊技者は所定の枚数のメダルを投入してゲームを楽しむことができる。遊技に必要なメダルは、遊技ホール内に設けられたメダル貸機で借りることができる。メダル貸機は遊技機と遊技機の間に設けられることもあり、このことから台間機とも呼ばれる。メダル貸機でメダルを借り、メダルを所望の遊技機のメダル投入口に投入することによりゲームを開始することができる。この間のメダルを受けてこれらを投入するという作業は、利用者自らが行っていた。
【０００３】
これでは一度に多数のメダルを投入するときに手間がかかり不便である。メダル貸機からのメダルを所望の遊技機のメダル投入口に直接送ることができれば、手間が省けて便利である。そこで、メダル貸機の払い出し口から、遊技機の投入口にメダルを導入するための、案内路を設ける場合がある。
【０００４】
【発明が解決しようとする課題】
本発明の目的は、案内路の先端を遊技機のメダル投入口に固定することができ、メダルをこぼれなくメダル案内路からメダル投入口に投入できるメダル貸出機を提供することにある。
【０００５】
【課題を解決するための手段】
本発明のメダル貸出機は、メダル貸出機により１枚づつ払い出されたメダルを、遊技機のメダル投入口に案内するためのメダル案内路と、前記メダル案内路を遊技機に固定するための固定具とを含み、前記固定具は、前記前記メダル案内路を保持するための保持部と、前記保持部の位置を調整する位置調整部とを備えることを特徴とする。
【０００６】
また、本発明において、前記位置調整部は、前記保持部を前記遊技機に装着するための装着部を含むことができる。
【０００７】
また、前記位置調整部は、前記保持部に設けられた調整つまみと、前記調整つまみに設けられたねじ孔と、前記装着部に取り付けられ、かつ、前記ねじ孔に螺合したねじ部とを含むことができる。
【０００８】
また、前記保持部は、前記案内路が貫通する貫通孔を有することができる。
【０００９】
また、前記保持部と前記位置調整部との間に、可動自在な連接部が設けられることができる。
【００１０】
【発明の実施の形態】
以下、実施の形態に係るメダル貸出機を説明する。図１は、遊技機１０とメダル貸出機（たとえば台間機）１００とメダル案内路１２０と固定具２００とを模式的に示す図である。
【００１１】
メダル貸出機１００は、メダル案内路１２０と、メダル案内路１２０を遊技機１０に固定するための固定具２００とを含む。
【００１２】
固定具２００は、メダル案内路１２０の先端を、遊技機１０のメダル投入口１２に固定するための用具である。なお、このメダル案内路１２０は、メダル貸出機１００から１枚ずつ払い出されたメダルＭを、遊技機１０のメダル投入口１２に案内するためのものである。
【００１３】
以下、具体的に固定具２００を説明する。図２は、図１のメダル投入口１２と、メダル案内路１２０と、固定具２００とを拡大して模式的に示す図である。図３は、図１のメダル投入口１２とメダル案内路１２０と固定具２００との側面図である。図４（Ａ）は、固定具の側面図であり、図４（Ｂ）は固定具の上面図である。
【００１４】
固定具２００は、メダル案内路１２０を保持する保持部２１０と、位置調整部２３０とを含む。
【００１５】
保持部２１０は、メダル案内路１２０を保持することができるものであれば特に限定されず、たとえば図４（Ｂ）に示すようにメダル案内路１２０を通す貫通孔２１２が設けられた態様とすることができる。この貫通孔２１２は、メダル案内路１２０に対応した形状とすることができる。
【００１６】
位置調整部２３０は、保持部２１０の位置を調整するためのものである。位置調整部２３０は、装着部２２０を含む。位置調整部２３０は、たとえば、保持部２１０に設けられた調整つまみ２３４と、調整つまみ２３４に設けられたねじ穴（図示せず）と、装着部２２０に取り付けられたねじ部２３２とにより構成されることができる。これにより、たとえば、調整つまみ２３４を時計周りに回転させた場合には、保持部２１０を装着部２２０側（すなわち遊技機１０側）に近づくようにし、反時計周りに回転させた場合には、保持部２１０を装着部２２０と離れるようにすることができる。
【００１７】
また、固定具２００には、保持部２１０と装着部２２０との間に、可動自在な連接部２４０が設けられている。連接部２４０は、たとえば、保持部２１０を装着部２２０に対して相対的に屈曲させることができる構成とすることができる。また、連接部２４０は、ボールジョイントであってもよい。
【００１８】
装着部２２０は、図３に示すように固定具２００自体を遊技機１０に装着するためのものである。装着部２２０は、固定具２００自体を遊技機１０に取り付けることができるものであれば特に限定されず、たとえば、図３に示すように吸盤により構成されることができる。なお、装着部２２０は、粘着テープにより構成されたもの、図５に示す弾性部材（たとえば、ばね、ウレタンなどのゴム）２２０により構成されたもの、磁石により構成されたものを挙げることができる。なお、図５に示す弾性部材により装着部２２０を構成した場合には、突起部２１４を遊技機１０の前面１０ａとメダル投入口１２との間に差し込み、弾性部材２２０により突起部２１４をメダル投入口１２に圧接することができる。
【００１９】
このように、本実施の形態のメダル貸出機１００によれば、メダル案内路１２０の先端を遊技機１０に固定することができ、メダルをこぼれなくメダル案内路１２０からメダル投入口１２に投入できる。また、遊技機１０に固定されたメダル案内路１２０の先端の位置を調整することができる。
【００２０】
次に、遊技機（スロットマシン）１０について説明する。図６は、遊技機を模式的に示す図である。
【００２１】
スロットマシン１０は、図６に示すように、四角箱状の筐体１１を有する。前記筐体１１の中央部及び上部には、遊技者側に向かって臨む四角窓状の表示窓１４が形成されている。そして、この中央部の表示窓１４の中央には、三個の回転リール４０の図柄６１を見ることができる図柄表示窓１３が形成されている。ペットスイッチ１６は、回転リール４０の下方に位置するスイッチであって、貯留メダル数を減じてメダル投入に代える。精算スイッチ１７は、回転リールの斜め下方に位置するスイッチであって、貯留した投入メダルを払い出す。スタートスイッチ３０は回転リール４０の斜め下方に位置するレバーであって、遊技メダルの投入若しくはペットスイッチ１６の投入を条件に、リールユニット６０の駆動を開始させる。ストップスイッチ５０は、リールユニット６０の駆動を停止させるためのものである。リールユニット６０は、三個の回転リール４０とから構成されている。そして、各回転リール４０は、合成樹脂からなる回転ドラムと、この回転ドラムの周囲に貼付されるテープ状のリールテープ４２とを備えている。このリールテープ４２の外周面には、複数個（例えば２１個）の図柄６１が表示されている。
【００２２】
次に、図１を用いて、メダル貸出機１００について説明する。
【００２３】
メダル貸出機（台間機）１００は、貨幣の投入等に応じて遊技用メダルを払出すものである。その排出口にはメダル案内路１２０が設けられている。スロットマシンを多数列設した、いわゆるパチスロ島には、遊技用メダルを貸出すメダル貸出機が各スロットマシンの側方に設けられており、貨幣やプリペイドカードの投入などによりメダルを借りることができるようになっている。したがって、遊技客は遊技中に手持ちの遊技用メダルが少なくなった場合であっても、席から離れることなく、しかも遊技を続けながらでもメダルを借りることができる。
【００２４】
台間メダル貸機１００の本体は縦長略矩形状を呈しており、前面上方に金銭を投入してメダルを借りるための紙幣投入口１０２が設けられている。紙幣投入口１０２の下方には、貸し出すメダルの数量などを表示する表示板（図示せず）が設けられる。紙幣投入口１０２の内部には図示しない紙幣識別装置が設けられている。この紙幣識別装置は、紙幣投入口１０２から投入された紙幣が真（本物の紙幣）の場合、投入された紙幣に相当するメダルをメダル貸機１００から排出し、また、紙幣投入口１０２から投入された紙幣が偽（偽紙幣）の場合、投入された紙幣をそのまま紙幣投入口１０２に戻す。メダル貸機１００の内部にはメダルを払い出すための装置としての図示しないホッパーが設けられている。ホッパーの上部には図示しないメダル収納部が設けられている。ホッパーは、メダル収納部内に収納されたメダルをその払出口から一枚づつ払い出し、メダル案内路１０２に排出する。
【００２５】
台間メダル貸機１００の紙幣投入口１０２から所定の金額の紙幣が一枚挿入されると、挿入された紙幣は紙幣識別装置で真偽が判定される。投入された紙幣が真の場合、投入された紙幣の金額に相当するメダルの数量を表示部（図示せず）に表示するとともに、ホッパーによりメダル収納部に収納されたメダルが所定の数だけ一枚一枚払出口１０４から排出される。メダルはメダル案内路１２０により案内されてメダル投入口１２内に導かれる。これによって、遊技客は容易にスロットマシン１０の遊技を楽しむことができる。
【００２６】
本発明は、以上の実施の形態に限定されることなく、特許請求の範囲に記載された発明の範囲内で、種々の変更が可能であり、それらも本発明の範囲内に包含されるものであることは言うまでもない。
【００２７】
【発明の効果】
本発明によれば、メダル案内路の先端を遊技機に固定することができ、メダルをこぼれなくメダル案内路からメダル投入口に投入できる。また、遊技機に固定されたメダル案内路の先端の位置を調整することができる。
【図面の簡単な説明】
【図１】遊技機１０とメダル貸出機（たとえば台間機）１００とメダル案内路１２０と固定具２００とを模式的に示す図である。
【図２】図１のメダル投入口１２と、メダル案内路１２０と、固定具２００とを拡大して模式的に示す図である。
【図３】図１のメダル投入口１２とメダル案内路１２０と固定具２００との側面図である。
【図４】図４（Ａ）は、固定具の側面図であり、図４（Ｂ）は固定具の上面図である。
【図５】装着部の変形例を示す図である。
【図６】遊技機を模式的に示す図である。
【符号の説明】
１０　　　遊技機
１２　　　メダル投入口
１００　　メダル貸出機
１２０　　メダル案内路
２００　　固定具
２１０　　保持部
２２０　　装着部
２３０　　位置調整部
２３２　　ねじ部
２３４　　調整つまみ
２４０　　連接部
【図１】
2004033406.tif 000003
【図２】
2004033406.tif 000004
【図３】
2004033406.tif 000005
【図４】
2004033406.tif 000006
【図５】
2004033406.tif 000007
【図６】
2004033406.tif 000008